【手続補正書】
【提出日】令和3年9月28日(2021.9.28)
【手続補正１】
【補正対象書類名】特許請求の範囲
【補正対象項目名】全文
【補正方法】変更
【補正の内容】
【特許請求の範囲】
【請求項１】
チェーンホイール(11)が軸着されたペダルクランク(12)を回転自在に保持するとともに自転車本体(10)に接続するためのユニット接続部(120)を有するユニット本体(110)と、自転車本体に固定設置される前記ユニット接続部と連結するためのユニット受部(130)と、からなる、ペダルクランクを着脱自在に自転車本体に接続するための自転車用ペダル着脱ユニット(100)において、
前記自転車用ペダル着脱ユニット(100)は、前記ユニット受部(130)およびユニット接続部(120)の一方が板状部材または箱状部材からなるとともに他方が該板状部材または箱状部材を挟持する挟持部材からなることを特徴とする自転車用ペダル着脱ユニット。
【請求項２】
前記ユニット受部(130)およびユニット接続部(120)には、前記自転車用ペダル着脱ユニット(100)の自転車本体(10)に対する前後の接続位置を調整してチェーンの張力を調整するため、前記ユニット受部(130)およびユニット接続部(120)相互の前後の接続位置を変更および固定するスライド調整機構(S)が装備されていることを特徴とする請求項１に記載の自転車用ペダル着脱ユニット。
【請求項３】
前記スライド調整機構(S)は、受部側接合孔(140a)が穿設されたユニット受部(130)および接続部側接合孔(140b)が穿設されたユニット接続部(120)と、前記受部側接合孔(140a)および接続部側接続孔(140b)を介してユニット受部(130)と前記ユニット接続部(120)とを螺設するボルト(150)と、からなり、
前記受部側接続孔(140a)および前記接続部側接合孔(140b)は、相互に対応する位置に穿設されて連通孔となる一対の接続孔(140)を形成するとともに、該連通する一対の接合孔を前記ボルトによって螺設することを特徴とする請求項１または請求項２に記載の自転車用ペダル着脱ユニット。
【請求項４】
前記一対の接合孔(140)は、前記受部側接続孔(140a)または前記接続部側接合孔(140b)の少なくとも一方が前後方向にスライド調整可能なように長孔に形成され、
前記ユニット受部(130)およびユニット接続部(120)を前記一対の接合孔(140)を介して前記ボルト(150)によって螺設することにより前記ユニット本体(110)を前記長孔に沿って前後にスライド調整可能としたことを特徴とする請求項３に記載の自転車用ペダル着脱ユニット。
【請求項５】
前記スライド調整機構(S)は、自転車本体(10)に対する前記ユニット本体(110)の前後位置を回転移動する螺子の押圧によって微調整するため、前記ユニット接続部(120)の先端部に、前記ユニット受部(130)と当接または螺合する螺子状調整部(160)を回転自在に螺設したことを特徴とする請求項３または請求項４に記載の自転車用ペダル着脱ユニット。
【請求項６】
前記スライド調整機構(S)は、自転車本体(10)に対する前記ユニット本体(110)の前後位置を回転移動する螺子の押圧によって微調整するため、前記ユニット受部(130)の先端部に前記ユニット接続部(120)と当接する螺子状調整部(160)を回転自在に螺設したことを特徴とする請求項３または請求項４に記載の自転車用ペダル着脱ユニット。
【請求項７】
前記スライド調整機構(S)は、複数からなる一対の接合孔(140)を備えたことを特徴とする請求項４乃至請求項６に記載の自転車用ペダル着脱ユニット。
【請求項８】
前記一対の接合孔(140)は、それぞれの接続孔を形成する前記長孔が互いに平行となるように穿設されるとともに、一対の接合孔の前後方向に対する穿設位置を変位させたことを特徴とする請求項７に記載の自転車用ペダル着脱ユニット。
【請求項９】
前記スライド調整機構(S)は、２つからなる前記一対の接合孔(140)のうち、一方が、円形の孔同士からなる一対の軸側接合孔(142)からなるとともに、他方が、前記軸側接合孔(142)を取り囲むように略Ｃ字型に穿設された湾曲形の孔を含む一対のスライド接合孔(144)とからなり、
前記ユニット受部(130)および前記ユニット接続部(120)を、前記軸側接合孔および回転スライド接合孔(144)を介してボルトによって螺設することにより、前記ユニット本体を軸接合孔(142)を軸として前記スライド接合孔(144)に沿ってスライド可能としたことを特徴とする請求項６に記載の自転車用ペダル着脱ユニット。
【請求項１０】
前記請求項１乃至請求項９に記載の自転車用ペダル着脱ユニットを備えた自転車。
【手続補正２】
【補正対象書類名】明細書
【補正対象項目名】０００７
【補正方法】変更
【補正の内容】
【０００７】
上記の目的を達成するために本発明に係る自転車用ペダル着脱ユニットは、チェーンホイールが軸着されたペダルクランクを回転自在に保持するとともに自転車本体に接続するためのユニット接続部を有するユニット本体と、自転車本体に固定設置される前記ユニット接続部と連結するためのユニット受部と、からなる、ペダルクランクを着脱自在に自転車本体に接続するための自転車用ペダル着脱ユニットであって、前記自転車用ペダル着脱ユニットは、前記ユニット受部およびユニット接続部の一方が板状部材または箱状部材からなるとともに他方が該板状部材または箱状部材を挟持する挟持部材からなる構成である。
【手続補正３】
【補正対象書類名】明細書
【補正対象項目名】０００８
【補正方法】変更
【補正の内容】
【０００８】
また、前記ユニット受部およびユニット接続部には、前記自転車用ペダル着脱ユニットの自転車本体に対する前後の接続位置を調整してチェーンの張力を調整するため、前記ユニット受部およびユニット接続部相互の前後の接続位置を変更および固定するスライド調整機構が装備されている構成である。
また、前記スライド調整機構は、受部側接合孔が穿設されたユニット受部および接続部側接合孔が穿設されたユニット接続部と、前記受部側接合孔および接続部側接続孔を介してユニット受部と前記ユニット接続部とを螺設するボルトと、からなり、前記受部側接続孔および前記接続部側接合孔は、相互に対応する位置に穿設されて連通孔となる一対の接続孔を形成するとともに、該連通する一対の接合孔を前記ボルトによって螺設する構成である。
【手続補正４】
【補正対象書類名】明細書
【補正対象項目名】００１３
【補正方法】変更
【補正の内容】
【００１３】
更に、本発明に係る自転車は、前記自転車用ペダル着脱ユニットを備えた構成である。
【手続補正５】
【補正対象書類名】明細書
【補正対象項目名】００１４
【補正方法】変更
【補正の内容】
【００１４】
本発明は、上記詳述した通りの構成であるので、以下のような効果がある。
１．自転車用ペダル着脱ユニットを設けたため、ペダルクランクを着脱自在に自転車本体に接続することが可能となる。また、ユニット受部およびユニット接続部の一方を板状部材または箱状部材とし、他方を板状部材または箱状部材を挟持する挟持部材としたため、ユニット接続部とユニット受部とのボルトによる接続を強固にすることが可能になり、安定したペダル着脱ユニットの接続が可能となる。
２．自転車用ペダル着脱ユニットにスライド調整機構を装備する構成としたため、ペダル着脱ユニットの設置位置の微調整が可能となり、自転車のチェーンの適宜な張力を維持できるとともに、自転車搭乗中にチェーンが脱落することを防止することが可能となる。
３．スライド調整機構を、ユニット接続部とユニット受部とにそれぞれ穿設された接続孔を介して接続する構成としたため、確実にペダル着脱ユニットを自転車本体に固定できるとともに、容易に取り外すことが可能となる。
【手続補正６】
【補正対象書類名】明細書
【補正対象項目名】００１５
【補正方法】変更
【補正の内容】
【００１５】
４．受部側接続孔または接続部側接合孔の少なくとも一方を長孔に形成したため、ユニット本体を長孔に沿って前後にスライド調整可能となり、略水平方向にスライドさせて、接続位置を調整することが可能となる。
５．ユニット接続部の先端部にユニット受部と当接する螺子状調整部を螺設する構成としたため、ユニット本体の前後位置を回転移動する螺子の押圧によって微調整することが可能となる。
【手続補正７】
【補正対象書類名】明細書
【補正対象項目名】００１６
【補正方法】変更
【補正の内容】
【００１６】
６．ユニット受部の先端部にユニット接続部と当接する螺子状調整部を螺設する構成としたため、同様に、ユニット本体の前後位置を回転移動する螺子の押圧によって微調整することが可能となる。
７．スライド調整機構の一対の接続孔を複数穿設したため、安定した状態で強固にペダル着脱ユニットを自転車本体に固定することが可能となる。
【手続補正８】
【補正対象書類名】明細書
【補正対象項目名】００１７
【補正方法】変更
【補正の内容】
【００１７】
８．それぞれの接続孔を形成する一対の接続孔のうちの長孔が互いに平行となるように穿設され、一対の接合孔の前後方向に対する穿設位置を変位させたため、より安定した状態でペダル着脱ユニットを自転車本体に固定することが可能となる。
９．２つからなる一対の接合孔のうちの一方を円形の孔同士とし、他方をＣ字型に穿設された湾曲形の孔としたため、ユニット本体を円形の孔を軸として回転するようにスライドさせて、ユニット本体の位置を微調整することが可能となる。
【手続補正９】
【補正対象書類名】明細書
【補正対象項目名】００１８
【補正方法】変更
【補正の内容】
【００１８】
１０．あらゆるサイズの自転車に、上記構造のペダル着脱ユニットを適応することが可能となる。